(57)【特許請求の範囲】
【請求項１】
一方を小径とし他方を大径とした漏斗状セパレータの前記小径側の端部に形成され、第１の突起を有する円筒状のネック部と、
前記第１の突起と係合する孔を有し、前記ネック部に装着されて前記ネック部を締め付ける締め付けバンドと、
前記締め付けバンドの装着位置よりも前記大径側の前記ネック部に回転自在に保持されたマグネットリングと、
前記マグネットリングを前記小径側より押さえる押さえ片とを備えた偏向ヨークにおいて、
前記小径側から前記大径側へと向かうに従って前記ネック部の外周面より離れて外側方向へと向かう傾斜面を有し、前記マグネットリングを前記ネック部に前記小径側より挿入したとき、前記傾斜面が前記押さえ片よりも先に前記マグネットリングに当接する第２の突起を、前記第１の突起と前記押さえ片との間の前記ネック部に設けて構成したことを特徴とする偏向ヨーク。
【発明の詳細な説明】
【０００１】
【発明の属する技術分野】
本発明は、インライン型の陰極線管（ＣＲＴ）に装着する偏向ヨークに係り、特に、円筒状のネック部に多極マグネットリングを装着し、この多極マグネットリングを回転させることによりコンバーゼンスやピュリティ等の磁界特性を調整するようにした偏向ヨークに関する。
【０００２】
【従来の技術】
インライン型のＣＲＴに装着して使用する偏向ヨークにおいては、ＣＲＴのネック側であり、偏向ヨークの小径側の端部に設けられた円筒状のネック部に、２極，４極等の複数の多極マグネットリングを装着している。そして、このマグネットリングを回転させることによってコンバーゼンスやピュリティ等の磁界特性を調整するようにしている。
【０００３】
図８は従来の偏向ヨークの一例を示す全体斜視図、図９は従来の偏向ヨークの一例を部分的に示す分解斜視図である。図８及び図９を用いて従来の偏向ヨークについて説明する。
【０００４】
図８において、絶縁樹脂よりなる一対のセパレータ１ａ，１ｂの組み合わせにより概ね漏斗状に形成された偏向ヨークは、内側に図示していない一対の水平偏向コイルを備え、外側に一対の垂直偏向コイル７を備えており、さらに、垂直偏向コイル７の外側に一対のコア２を備えている。セパレータ１ａ，１ｂの小径側には、フランジ１ｆが形成されており、フランジ１ｆには、円筒状のネック部３が設けられている。
【０００５】
ネック部３付近の構成について、図９を用いてさらに詳細に説明する。図９は、セパレータ１ａ，１ｂにおけるフランジ１ｆ付近のみを図示しており、それに続く管面側の漏斗状の部分は図示を省略している。図９において、円筒状のネック部３は、舌片３ａ〜３ｆよりなり、このネック部３は一体成形によりセパレータ１ａ，１ｂのフランジ１ｆに立設している。
【０００６】
ネック部３は可撓性を有しており、また、ネック部３にはスリット４ａ〜４ｆが形成されているので、内側に撓むようになっている。このネック部３には、偏向ヨークをＣＲＴのネックに固定するための締め付けバンド５が装着される。舌片３ｃ，３ｆの上端部には締め付けバンド５の孔５ａ，５ｂと係合するための突起１４が形成されている。この突起１４のネック側には斜め下方向に傾斜がついており、締め付けバンド５を容易に装着することができる。締め付けバンド５にはボルト６がねじ込まれており、ボルト６を締めることによって締め付けバンド５の内径を小さくしてネック部３をすぼめることができ、もって、偏向ヨークをＣＲＴのネックに固定することができる。
【０００７】
締め付けバンド５とセパレータ１ａ，１ｂのフランジ１ｆとの間には、複数の磁極を持ったマグネットリング１０，１１が装着される。なお、図９は、締め付けバンド５及びマグネットリング１０，１１をネック部３より取り外した状態を示している。マグネットリング１０，１１は、一般的に、バリウムフェライトあるいはアルニコ等の磁性体粉末をナイロン樹脂に均一に分散させた材料より成形される。なお、マグネットリング１０，１１が、その成形時の大きさのばらつき等によって、ネック部３に対して強嵌合となることを防ぐために、ネック部３の外径とマグネットリング１０，１１の内径との径差を最大０．４ｍｍ程度設けている。
【０００８】
さらに具体的には、マグネットリング１０，１１は、ネック部３に次のようにして保持される。ネック部３の下端部には、ＣＲＴの管軸（Ｚ軸）方向に撓む弾性を有する突出部１２ａ，１２ｂが形成されている。また、ネック部３の舌片３ｃ，３ｆには、ネック部３の内側へと撓む可撓性を有する舌片１３が独立して形成されており、この舌片１３の上端部には、略三角形の爪１３ａが形成されている。マグネットリング１０，１１は、突出部１２ａ，１２ｂと爪１３ａとの間に保持される。
【０００９】
図１０は、ネック部３を、Ｚ軸に沿った方向で切断した断面図である。図１０に示すように、爪１３ａのネック側端面１３a1はＺ軸にほぼ直交する面であり、ネック部３の外側方向へと突出したネック側の面は、傾斜面１３a2となっている。爪１３ａの外側方向への突出量ｄ１は、突出部１２ａ，１２ｂと爪１３ａとの間に装着したマグネットリング１０，１１が容易に外れない長さが必要であり、通常１.３ｍｍ程度に設定されている。爪１３ａの最外径側の面１３a3は、セパレータ１ａ，１ｂを成形する際の金型の強度を確保するために設けた面である。この面１３a3は、Ｚ軸とほぼ平行な面であり、Ｚ軸方向の長さは、０．３ｍｍ程度に設定されている。
【００１０】
近年、ＣＲＴディスプレイモニタの省スペース化が市場にて要求されており、この要求に対応するため、ＣＲＴの奥行きの短縮が求められている。また、ＣＲＴに装着する偏向ヨークも、全長の短縮が求められている。このため、締め付けバンド５の大径側端面とマグネットリング１０のネック側（小径側）端面との間隔は短く制限されており、爪１３ａのＺ軸方向の長さｄ２は最長でも１.３ｍｍ程度に設定せざるを得ない。従って、この寸法制限下で、できる限りマグネットリング１０，１１の装着を容易にするため、傾斜面１３a2の傾斜角θが極力大きくなるよう各寸法を設定する。
【００１１】
傾斜面１３a2における傾斜の開始位置である傾斜面１３a2のネック側端部１３a2sは、ネック部３の外周面より外側に出ない範囲で、できる限りネック部３の外周面近傍に位置するよう設定している。傾斜角θは例えば約３２°である。なお、傾斜面１３a2を、舌片１３の内側端面（内周面）まで伸ばさず、傾斜面１３a2のネック側端部１３a2sをネック部３の外周面近傍に位置させ、爪１３ａの頂部にネック側端面１３a1を形成しているのは、上記の寸法制限のためである。
【００１２】
このような構成において、マグネットリング１０，１１を偏向ヨークの小径側からネック部３に挿入すると、マグネットリング１０，１１はまず突起１４に当接してネック部３を内側に撓ませ、突起１４の部分を通過する。マグネットリング１０，１１をさらに大径側へと移動させると、マグネットリング１０，１１は爪１３ａの傾斜面１３a2に当たり、舌片１３は内側へと撓む。そして、マグネットリング１０，１１は、突出部１２ａ，１２ｂと爪１３ａとの間に挟み込まれるように保持される。なお、突出部１２ａ，１２ｂと爪１３ａとの間の寸法は、マグネットリング１０，１１を合わせた厚みより若干小さくしているので、マグネットリング１０，１１が突出部１２ａ，１２ｂと爪１３ａとの間に装着されると、突出部１２ａ，１２ｂは弾性変形し、その反発力がマグネットリング１０，１１に加わる。
【００１３】
偏向ヨークをＣＲＴに取り付けて磁界特性を調整する際には、マグネットリング１０，１１を回転させる。その際、マグネットリング１０，１１を回転させるのに要する力が強すぎることもなく、また、弱すぎることもなく、最適な状態となるよう、また、調整終了後にネック部３とマグネットリング１０，１１とを接着剤により固定するまでの間に、マグネットリング１０，１１が回転することがないよう、マグネットリング１０，１１の回転時には、突出部１２ａ，１２ｂと爪１３ａとによって、適性な回転トルクが付加されるようになっている。この回転トルクは、突出部１２ａ，１２ｂのＺ軸方向（図９の上向き）の反発力により発生する摩擦力によって得ている。
【００１４】
【発明が解決しようとする課題】
以上のように構成される偏向ヨークにおいて、マグネットリング１０，１１は通常手作業にてネック部３に装着されるため、図１１に示すように、マグネットリング１０，１１のネック部３への装着に際して、例えばネック部３の舌片３ｆに径方向内側への力Ａが加えられる場合がある。この場合、マグネットリング１０，１１ネック部３の外径とマグネットリング１０，１１の内径との径差の有無にかかわらず、舌片３ｆはマグネットリング１０，１１に押されて内側に撓む。この状態でマグネットリング１０，１１を装着しようとすると、マグネットリング１０，１１は爪１３ａのネック側端面１３a1に当たってしまう。
【００１５】
すると、マグネットリング１０，１１のネック部３への挿入が困難になってしまう。また、作業者がマグネットリング１０，１１を無理に装着しようとしてマグネットリング１０，１１に過度の力を加えると、マグネットリング１０，１１を破損させてしまうこともあった。このように従来の偏向ヨークにおいては、マグネットリング１０，１１のネック部３への装着の仕方によっては装着が困難となったり、マグネットリング１０，１１を破損させてしまうおそれがあるという問題点があり、改善が望まれていた。
【００１６】
本発明はこのような問題点に鑑みなされたものであり、ネック部にマグネットリングを装着し、このマグネットリングを回転させることにより磁界特性を調整するようにした偏向ヨークにおいて、マグネットリングをネック部に容易に装着することができ、かつ、マグネットリングの破損を防ぐことができる偏向ヨークを提供することを目的とする。
【００１７】
【課題を解決するための手段】
本発明は、上述した従来の技術の課題を解決するため、
一方を小径とし他方を大径とした漏斗状セパレータの前記小径側の端部に形成され、第１の突起（１４）を有する円筒状のネック部（３）と、前記第１の突起と係合する孔を有し、前記ネック部に装着されて前記ネック部を締め付ける締め付けバンド（５）と、前記締め付けバンドの装着位置よりも前記大径側の前記ネック部に回転自在に保持されたマグネットリング（１０，１１，２０，２１）と、前記マグネットリングを前記小径側より押さえる押さえ片（３３ａ，３３ｂ）とを備えた偏向ヨークにおいて、前記小径側から前記大径側へと向かうに従って前記ネック部の外周面より離れて外側方向へと向かう傾斜面を有し、前記マグネットリングを前記ネック部に前記小径側より挿入したとき、前記傾斜面が前記押さえ片よりも先に前記マグネットリングに当接する第２の突起（８０ａ，８０ｂ，８１）を、前記第１の突起と前記押さえ片との間の前記ネック部に設けて構成したことを特徴とする偏向ヨークを提供するものである。
【００１８】
【発明の実施の形態】
以下、本発明の偏向ヨークについて、添付図面を参照して説明する。図１は本発明の偏向ヨークの一実施例を示す全体斜視図、図２及び図３は本発明の偏向ヨークの一実施例の要部を示す部分斜視図、図４及び図５は本発明の偏向ヨークの一実施例の要部を示す部分断面図、図６は本発明による作用を説明するための部分断面図、図７は本発明の偏向ヨークの他の実施例の要部を示す部分斜視図である。なお、図１〜図７において、図８〜図１１と同一部分には同一符号を付し、その説明を省略することがある。
【００１９】
図１において、絶縁樹脂よりなる一対のセパレータ１ａ，１ｂの組み合わせにより概ね漏斗状に形成された偏向ヨークは、内側に図示していない一対の水平偏向コイルを備え、外側に一対の垂直偏向コイル７を備えており、さらに、垂直偏向コイル７の外側に一対のコア２を備えている。セパレータ１ａ，１ｂの小径側（図１の上側）には、フランジ１ｆが形成されており、フランジ１ｆには、円筒状のネック部３が設けられている。図１の下側は大径側である。
【００２０】
ネック部３付近の構成について、図２，図３を用いてさらに詳細に説明する。図２，図３は、セパレータ１ａ，１ｂにおけるフランジ１ｆ付近のみを図示しており、それに続く管面側の漏斗状の部分は図示を省略している。特に図３では、ネック部３のみを示している。図２は、締め付けバンド５及びマグネットリング１０，１１，２０，２１をネック部３に装着した状態、図３は、締め付けバンド５及びマグネットリング１０，１１，２０，２１をネック部３に装着していない状態を示している。
【００２１】
図２，図３において、円筒状のネック部３は、舌片３ａ〜３ｄよりなり、このネック部３は一体成形によりセパレータ１ａ，１ｂのフランジ１ｆに立設している。本実施例では、ネック部３の舌片を４つとしているが、従来例のように６つであってもよく、舌片の数は任意である。ネック部３は可撓性を有しており、また、ネック部３にはスリット４ａ〜４ｄが形成されているので、内側に撓むようになっている。このネック部３には、偏向ヨークをＣＲＴのネックに固定するための締め付けバンド５が装着される。ここでは、締め付けバンド５の孔５ａ，５ｂ（５ｂは図示せず）と係合するためのネック部３に形成する突起１４を省略している。締め付けバンド５にはボルト６がねじ込まれており、ボルト６を締めることによって締め付けバンド５の内径を小さくしてネック部３をすぼめることができ、もって、偏向ヨークをＣＲＴのネックに固定することができる。
【００２２】
締め付けバンド５とセパレータ１ａ，１ｂのフランジ１ｆとの間には、複数の磁極を持ったマグネットリング１０，１１，２０，２１が装着される。マグネットリング１１，２０間には、回転を規制されたリング状のスペーサーリング２２が装着されている。スペーサーリング２２の介在により、マグネットリング１０，１１とマグネットリング２０，２１は、それぞれ独立して回転するようになっている。マグネットリング１０，１１，２０，２１は、バリウムフェライトあるいはアルニコ等の磁性体粉末をナイロン樹脂に均一に分散させた材料より成形される。
【００２３】
さらに具体的には、マグネットリング１０，１１，２０，２１とスペーサリング２２は、ネック部３に次のようにして保持される。図３に示すように、ネック部３の中央部よりも下側部分には、下側押さえ片３２ａ，３２ｂが形成されている。下側押さえ片３２ａ，３２ｂは、腕状に形成されており、Ｚ軸と略平行方向に可撓性を有する。下側押さえ片３２ａ，３２ｂの先端部には、ネック部３の先端方向に突出した突起３２a1，３２b1が形成されている。なお、舌片３ａ，３ｂ側にも下側押さえ片３２ａ，３２ｂが形成されている。
【００２４】
また、ネック部３には、略Ｌ字状の上側押さえ片３３ａ，３３ｂが形成されている。上側押さえ片３３ａ，３３ｂは、舌片３ａ〜３ｄと連結しているが、実質的に独立している。なお、上側押さえ片３３ａ，３３ｂは、上述した従来例における舌片１３と同じ作用を奏するものである。上側押さえ片３３ａ，３３ｂの先端部には、ネック部３の外径方向に突出した爪状の突起３３a0，３３b0が形成されている。この突起３３a0，３３b0のネック側端面３３a1，３３b1はＺ軸にほぼ直交する面である。ネック部３の外側方向へと突出した小径側の面は傾斜面３３a2，３３b2となっており、大径側の面３３a4，３３b4はＺ軸にほぼ直交する面となっている。傾斜面３３a2，３３b2は、ネック部３の小径側から大径側へと向かうに従ってネック部３の外周面より離れて外側方向へと向かう傾斜を有する。
【００２５】
この上側押さえ片３３ａ，３３ｂは、突起３３a0，３３b0を除き、ネック部３の舌片３ａ〜３ｄと略同一円周面に位置している。なお、舌片３ａ，３ｂ側にも上側押さえ片３３ａ，３３ｂが形成されている。下側押さえ片３２ａ，３２ｂと上側押さえ片３３ａ，３３ｂは、マグネットリング１０，１１，２０，２１を挟持する挟持部である。
【００２６】
ここで、図３〜図５を用いて本発明の要旨たる構成について詳細に説明する。図３〜図５に示すように、ネック部３の舌片３ｃ，３ｄには、上側押さえ片３３ａ，３３ｂと並んでリブ状の突起８０ａ，８０ｂが形成されている。なお、舌片３ａ，３ｂ側にも突起８０ａ，８０ｂが形成されている。突起８０ａ，８０ｂは、締め付けバンド５の装着位置、即ち、突起１４よりも大径側に設けられている。本実施例では、突起８０ａ，８０ｂは上側押さえ片３３ａ，３３ｂの突起３３a0，３３b0を挟むように、突起３３a0，３３b0の近傍に設けられている。
【００２７】
突起８０ａ，８０ｂの小径側の面は、ネック部３の小径側から大径側へと向かうに従ってネック部３の外周面より離れて外側方向へと向かう傾斜面８０a1，８０b1となっている。さらに、突起８０ａ，８０ｂは、傾斜面８０a1，８０b1に繋がった径方向の最外面８０a2，８０b2と、最外面８０a2，８０b2からネック部３へと繋がる大径側の面８０a3，８０b3とを有する。
【００２８】
図４，図５に示すように、突起８０ａ，８０ｂは、上側押さえ片３３ａ，３３ｂの突起３３a0，３３b0よりもネック側に位置するよう設定されている。具体的には、図５に示すように、突起８０ａ，８０ｂの傾斜面８０a1，８０b1における傾斜の開始位置であるネック側端部８０a1s，８０b1sは、ほぼ、締め付けバンド５を装着した場合の締め付けバンド５の下端面（大径側端面）となるように設定されている。突起８０ａ，８０ｂの傾斜面８０a1，８０b1は、突起３３a0，３３b0の傾斜面３３a2，３３b2よりもネック側に位置している。大径側の面８０a3，８０b3は、突起３３a0，３３b0の大径側の面３３a4，３３b4よりも小径側に位置している。
【００２９】
なお、突起８０ａ，８０ｂが突起３３a0，３３b0よりもネック側に位置するとは、突起８０ａ，８０ｂの全てが突起３３a0，３３b0よりもネック側に位置することを意味するものではない。マグネットリング１０，１１，２０，２１を小径側よりネック部３に挿入してネック部３に装着する際、マグネットリング１０，１１，２０，２１が突起３３a0，３３b0よりも突起８０ａ，８０ｂに先に当接すればよい。即ち、少なくとも、突起８０ａ，８０ｂの傾斜面８０a1，８０b1が突起３３a0，３３b0の傾斜面３３a2，３３b2よりもネック側に位置していればよい。
【００３０】
また、マグネットリング１０，１１，２０，２１を下側押さえ片３２ａ，３２ｂと上側押さえ片３３ａ，３３ｂとで挟持することが必要であるから、突起８０ａ，８０ｂの大径側の面８０a3，８０b3が突起３３a0，３３b0の大径側の面３３a4，３３b4とＺ軸方向で同一の位置にあるか、大径側の面３３a4，３３b4よりもネック側に位置していればよい。
【００３１】
突起８０ａ，８０ｂの最外面８０a2，８０b2は、突起３３a0，３３b0の先端部（最外面）よりも内側に位置するよう設定されている。舌片３ａ，３ｂ側と舌片３ｃ，３ｄ側双方の突起８０ａ，８０ｂの最外面８０a2，８０b2の外接円の直径は、マグネットリング１０，１１，２０，２１の内径より大きく設定されている。
【００３２】
以上のような構成において、代表してマグネットリング１１をネック部３に装着する場合の作用について、図６を用いて説明する。勿論、他のマグネットリング１０，２０，２１についても作用は同様である。図６は、マグネットリング１１をネック部３に装着する途中の状態を示している。マグネットリング１１は、締め付けバンド５を係合させるための突起１４を通過して図６の状態の達する。マグネットリング１１の内径は、舌片３ａ，３ｂ側と舌片３ｃ，３ｄ側双方の突起８０ａ，８０ｂの外接円の径より小さいので、マグネットリング１１は、傾斜面８０a1，８０b1に当たって舌片３ａ〜３ｄを内側（矢印Ｃ方向）へと撓ませながら、図６の下方向（矢印Ｄ方向）へ移動する。舌片３ａ〜３ｄは均等に撓むため、その反発力で、マグネットリング１１は自動的にネック部３の径方向のセンタリングがなされる。
【００３３】
マグネットリング１１がさらに下方に挿入されると、マグネットリング１１は、突起８０ａ，８０ｂに当接しつつ、上側押さえ片３３ａ，３３ｂの突起３３a0，３３b0の傾斜面３３a2，３３b2に当たり、上側押さえ片３３ａ，３３ｂを内側へと撓ませながら、突起３３a0，３３b0を乗り越える。そして、マグネットリング１１は、下側押さえ片３２ａ，３２ｂと上側押さえ片３３ａ，３３ｂの突起３３a0，３３b0との間に装着される。
【００３４】
以上の構成によれば、マグネットリング１０，１１，２０，２１のネック部３への装着に際して、ネック部３に径方向内側への力が加えられたとしても、ネック部３には傾斜面８０a1，８０b1を有する突起８０ａ，８０ｂが形成されていることから、マグネットリング１０，１１，２０，２１は、舌片３ａ〜３ｄの反発力により径方向のセンタリングがなされる。また、突起８０ａ，８０ｂは、マグネットリング１０，１１，２０，２１を上側押さえ片３３ａ，３３ｂの突起３３a0，３３b0の傾斜面３３a2，３３b2へと誘導する働きをする。
【００３５】
これにより、ネック部３の外径とマグネットリング１０，１１，２０，２１の内径との径差分舌片３ａ〜３ｄを撓ませても、マグネットリング１０，１１，２０，２１は、上側押さえ片３３ａ，３３ｂの突起３３a0，３３b0におけるネック側端面３３a1，３３b1に当たることなく、必ず傾斜面３３a2，３３b2に当たることとなる。従って、マグネットリング１０，１１，２０，２１を常にネック部３に容易に装着することができる。また、マグネットリング１０，１１，２０，２１がネック側端面３３a1，３３b1に当たることがないので、マグネットリング１０，１１，２０，２１を破損させてしまうこともない。
【００３６】
さらに、本発明の構成においては、突起８０ａ，８０ｂが締め付けバンド５を誘導すると共に、Ｚ軸方向の位置を規制するという作用効果も奏する。即ち、締め付けバンド５のボルト６を締め付けて偏向ヨークをＣＲＴのネックに固定する際、ボルト６の締め付け前に締め付けバンド５の大径側端面が大径方向に偏って傾斜面８０a1，８０b1にかかっていたとしても、ボルト６を締め付けて締め付けバンド５の径を収縮させるのに伴い、締め付けバンド５は傾斜面８０a1，８０b1をネック側方向に滑る。これにより、締め付けバンド５は、図５に示すように、その大径側端面が傾斜面８０a1，８０b1のネック側端部８０a1s，８０b1sに位置するように自然に誘導される。
【００３７】
本発明は以上説明した実施例に限定されることなく、種々の変更が可能である。突起８０ａ，８０ｂを設ける位置は、上側押さえ片３３ａ，３３ｂの突起３３a0，３３b0に対するＺ軸方向の位置関係が本実施例と同様であれば、周方向のどの位置に設けてもよい。但し、突起３３a0，３３b0に近い位置に配置することが望ましい。突起８０ａ，８０ｂの傾斜面８０a1，８０b1は平面でなくてもよく、マグネットリング１０，１１，２０，２１の挿入を容易にする効果を奏すれば曲面でもよい。突起８０ａ，８０ｂを形成する他の面についても平面でなくてもよい。各面が交わる稜線にアールを施してもよく、これは成形性からも望ましい。また、本実施例では、突起８０ａ，８０ｂを上側押さえ片３３ａ，３３ｂと同数としたが、これに限定されることはなく、個数は任意である。
【００３８】
図７は他の実施例を示している。上記の実施例では突起８０ａ，８０ｂをリブ状としたが、図７に示すように、ネック部３の周方向に形成した環状突起８１であってもよい。環状突起８１は突起８０ａ，８０ｂを周方向に連続して形成したのに相当する。環状突起８１のＺ軸と平行方向の断面形状は、突起８０ａ，８０ｂのＺ軸と平行方向の断面形状と同様である。また、図示していないが、円弧状突起であってもよい。
【００３９】
さらに、本実施例では、マグネットリング１０，１１，２０，２１の下側押さえ片３２ａ，３２ｂと上側押さえ片３３ａ，３３ｂとを、ネック部３の一方の部分で二対としたが、一対であってもよい。また、ネック部３に装着するマグネットリングの数は、４つに限定されることはなく、いくつでもよい。本発明は、以上説明した本実施例に限定されるものではなく、本発明の要旨を逸脱しない範囲において変更可能である。
【００４０】
【発明の効果】
以上詳細に説明したように、本発明の偏向ヨークによれば、マグネットリングをネック部に容易に装着することができ、かつ、マグネットリングの破損を防ぐことができる。
【図面の簡単な説明】
【図１】本発明の一実施例を示す全体斜視図である。
【図２】本発明の一実施例の要部を示す部分斜視図である。
【図３】本発明の一実施例の要部を示す部分斜視図である。
【図４】本発明の一実施例の要部を示す部分断面図である。
【図５】本発明の一実施例の要部を示す部分断面図である。
【図６】本発明による作用を説明するための部分断面図である。
【図７】本発明の他の実施例の要部を示す部分斜視図である。
【図８】従来例を示す全体斜視図である。
【図９】従来例を示す部分斜視図である。
【図１０】従来例を説明するための部分断面図である。
【図１１】従来例の問題点を説明するための部分断面図である。
【符号の説明】
１ａ，１ｂ  セパレータ
１ｆ  フランジ
２  コア
３  ネック部
５  締め付けバンド
５ａ，５ｂ  孔
７  垂直偏向コイル
１０，１１，２０，２１  マグネットリング
１４  突起（第１の突起）
２２  スペーサーリング
３２ａ，３２ｂ  下側押さえ片
３３ａ，３３ｂ  上側押さえ片
３３a0，３３b0  突起
８０ａ，８０ｂ，８１  突起（第２の突起）
３３a2，３３b2，８０a1，８０b1  傾斜面
【図１】
0003539345.tif 000002
【図２】
0003539345.tif 000003
【図３】
0003539345.tif 000004
【図４】
0003539345.tif 000005
【図５】
0003539345.tif 000006
【図６】
0003539345.tif 000007
【図７】
0003539345.tif 000008
【図８】
0003539345.tif 000009
【図９】
0003539345.tif 000010
【図１０】
0003539345.tif 000011
【図１１】
0003539345.tif 000012